(57)【要約】【課題】光軸の傾きを抑制するとともに、光軸方向のガタ寄せ用の付勢手段を設けなくてもレンズのガタの発生を抑制することができるカメラモジュール及びこれを備えた電子機器を提供する。【解決手段】カメラモジュール１は、レンズ６を保持し、光軸方向に移動自在なレンズホルダ５と、レンズホルダ５に固定されるとともにレンズホルダ５と一体に光軸方向に移動するシャッタ装置３０と、を含む駆動ユニット５０と、シャッタ装置３０に電力を供給する基板２と、弾性を有しシャッタ装置３０と基板２との間に設けられるＦＰＣ９とを備え、ＦＰＣ９は、駆動ユニット５０を光軸方向に付勢するとともに、駆動ユニット５０の重心を通り光軸と平行である重心軸の周りに複数均等に配置される。【選択図】          図２
2007215055.tif 000002
【特許請求の範囲】
【請求項１】
レンズを保持し、光軸方向に移動自在なレンズホルダと、
前記レンズホルダに固定されるとともに前記レンズホルダと一体に前記光軸方向に移動するシャッタ装置と、を含む駆動ユニットと、
前記シャッタ装置に電力を供給するプリント配線板と、
弾性を有し前記シャッタ装置と前記プリント配線板との間に設けられる導通部材とを備え、
前記導通部材は、前記駆動ユニットを前記光軸方向に付勢するとともに、前記駆動ユニットの重心を通り前記光軸と平行である重心軸の周りに複数均等に配置されることを特徴とするカメラモジュール。
【請求項２】
レンズを保持し、光軸方向に移動自在なレンズホルダと、
前記レンズホルダに固定されるとともに前記レンズホルダと一体に前記光軸方向に移動するシャッタ装置と、を含む駆動ユニットと、
前記シャッタ装置に電力を供給するプリント配線板と、
弾性を有し前記シャッタ装置と前記プリント配線板との間に設けられる導通部材とを備え、
前記導通部材は、前記駆動ユニットを前記光軸方向に付勢するとともに、前記光軸周りに複数均等に配置されることを特徴とするカメラモジュール。
【請求項３】
レンズを保持し、光軸方向に移動自在なレンズホルダと、
光量を調整するシャッタ装置と、
前記シャッタ装置に電力を供給するプリント配線板と、
弾性を有し前記シャッタ装置と前記プリント配線板との間に設けられる導通部材とを備え、
前記導通部材は、前記レンズホルダを前記光軸方向に付勢するとともに、前記光軸周りに複数均等に配置されることを特徴とするカメラモジュール。
【請求項４】
前記導通部材は、湾曲又は屈曲された状態で配置されることを特徴とする請求項１乃至３の何れか一項に記載のカメラモジュール。
【請求項５】
前記導通部材は、ＦＰＣであることを特徴とする請求項１乃至４の何れか一項に記載のカメラモジュール。
【請求項６】
請求項１乃至５の何れか一項に記載のカメラモジュールを備えたことを特徴とする電子機器。
【発明の詳細な説明】
【技術分野】
【０００１】
本発明は、カメラモジュール及びこれを備えた電子機器に関する。
【背景技術】
【０００２】
従来、ズーム機構を備えたカメラモジュールに搭載されるレンズホルダは、レンズのガタ寄せをするための付勢手段、例えば、バネ等を備えたものが種々提案されている。特許文献１には、このような付勢手段を備えたレンズホルダが提案されている。
【０００３】
ところで、このようなカメラモジュールには、シャッタを開閉駆動させるシャッタ駆動装置と、この装置に開閉指示を与えるシャッタ駆動回路とが、ＦＰＣ（Ｆｌｅｘｉｂlｅ  Ｐｒｉｎｔｅｄ  Ｃｉｒｃuｉｔ）を介して電気的に接続されるものがある。これにより、シャッタは開閉駆動される。
【０００４】
【特許文献１】特開２００５−１９５９０３号公報
【発明の開示】
【発明が解決しようとする課題】
【０００５】
このＦＰＣは、屈曲性のある回路基板であるため、弾性を有する。このため、シャッタ駆動装置に対するＦＰＣの取り付け位置によっては、ＦＰＣの付勢力によりシャッタ駆動装置が傾き、これに伴い光軸も傾き、画質が劣化するおそれがあった。
【０００６】
また、カメラモジュールにバネなどのレンズのガタ寄せ用の付勢手段を設けると、製造コストが増し、組み付け工程が煩雑になるという問題点があった。
【０００７】
そこで本発明は、光軸の傾きを抑制して、良好な画質を保つことを目的とする。また光軸方向のガタ寄せ用の付勢手段を別に設けない場合でもレンズのガタの発生を抑制することができるカメラモジュール及びこれを備えた電子機器を提供することを目的とする。
【課題を解決するための手段】
【０００８】
上記目的は、レンズを保持し、光軸方向に移動自在なレンズホルダと、前記レンズホルダに固定されるとともに前記レンズホルダと一体に前記光軸方向に移動するシャッタ装置と、を含む駆動ユニットと、前記シャッタ装置に電力を供給するプリント配線板と、弾性を有し前記シャッタ装置と前記プリント配線板との間に設けられる導通部材とを備え、前記導通部材は、前記駆動ユニットを前記光軸方向に付勢するとともに、前記駆動ユニットの重心を通り前記光軸と平行である重心軸の周りに複数均等に配置されるカメラモジュールによって達成できる。
【０００９】
この構成により、導通部材が駆動ユニットを光軸方向に付勢するので、光軸方向のガタ寄せ用の付勢手段を設けなくてもレンズホルダのガタの発生を抑制することができる。また、導通部材が駆動ユニットの重心を通り光軸と平行である重心軸の周りに複数均等に配置されているので、付勢力のバランスを保つことができ、光軸の傾きを抑制することができる。これにより、レンズホルダは、レンズを平行に維持したまま光軸方向に移動させることができ、良好な画質を保つことができる。
【００１０】
また、レンズを保持し、光軸方向に移動自在なレンズホルダと、前記レンズホルダに固定されるとともに前記レンズホルダと一体に前記光軸方向に移動するシャッタ装置と、を含む駆動ユニットと、前記シャッタ装置に電力を供給するプリント配線板と、弾性を有し前記シャッタ装置と前記プリント配線板との間に設けられる導通部材とを備え、前記導通部材は、前記駆動ユニットを前記光軸方向に付勢するとともに、前記光軸周りに複数均等に配置されるカメラモジュールによっても達成できる。
【００１１】
この構成により、導通部材が駆動ユニットを光軸方向に付勢するので、光軸方向のガタ寄せ用の付勢手段を設けなくてもレンズホルダのガタの発生を抑制することができる。また、導通部材が光軸周りに複数均等に配置されているので、付勢力のバランスを保つことができ、光軸の傾きを抑制することができる。これにより、レンズホルダは、レンズを平行に維持したまま光軸方向に移動させることができる。特に、カメラモジュールの構造上、導電部材をレンズホルダ等の重心軸周りに均等に配置できない場合に、光軸周りに配置することにより付勢力のバランスを保つことができ、光軸の傾きを抑制することができ、良好な画質を保つことができる。
【００１２】
また、レンズを保持し、光軸方向に移動自在なレンズホルダと、光量を調整するシャッタ装置と、前記シャッタ装置に電力を供給するプリント配線板と、弾性を有し前記シャッタ装置と前記プリント配線板との間に設けられる導通部材とを備え、前記導通部材は、前記レンズホルダを前記光軸方向に付勢するとともに、前記光軸周りに複数均等に配置されるカメラモジュールによっても達成できる。
【００１３】
この構成により、導通部材がレンズホルダを光軸方向に付勢するので、光軸方向のガタ寄せ用の付勢手段を設けなくてもレンズホルダのガタの発生を抑制することができる。また、導通部材が光軸周りに複数均等に配置されているので、付勢力のバランスを保つことができ、光軸の傾きを抑制することができる。これにより、レンズホルダは、レンズを平行に維持したまま光軸方向に移動させることができる。特に、カメラモジュールの構造上、導電部材をレンズホルダ等の重心軸周りに均等に配置できない場合に、光軸周りに配置することにより付勢力のバランスを保つことができ、光軸の傾きを抑制することができ、良好な画質を保つことができる。
【００１４】
また、前記導通部材は、湾曲又は屈曲された状態で配置される、構成を採用できる。上記構成において、導通部材は湾曲又は屈曲された状態で配置されるので、より弾性が得やすいように用いることができる。「湾曲された状態」とは、導通部材が弓なりに曲がった状態をいい、曲げられている箇所は１箇所であっても良いし複数箇所あってもよい。「屈曲された状態」とは、導通部材が折れ曲がった状態をいい、折れ曲げられている箇所は１箇所であっても良いし複数箇所あってもよい。
【００１５】
また、前記導通部材は、ＦＰＣである、構成を採用できる。
また、以上のようなカメラモジュールは、例えば、カメラ、携帯電話等の電子機器に組み込むことができる。
【発明の効果】
【００１６】
本発明によれば、光軸の傾きを抑制することができ、良好な画質を保つことができる。また、光軸方向のガタ寄せ用の付勢手段を別に設けない場合でもレンズのガタの発生を抑制することができるカメラモジュール及びこれを備えた電子機器を提供することができる。
【発明を実施するための最良の形態】
【００１７】
以下、図面を参照して本発明に係る複数の実施例を説明する。
【実施例１】
【００１８】
図１を参照しながら本実施例のカメラモジュール１の構成を説明する。図１は、カメラモジュール１の構成を示す断面図である。本実施例のカメラモジュール１は、モータ１１の駆動力によってシャッタ羽根１３を駆動させ、開口１９を開閉させることにより撮像素子３への光量を調整するシャッタ装置３０と、レンズ６や撮像素子３を備え、被写体像を撮像する撮像装置４０とを有している。被取付部材としてのシャッタ装置３０は、レンズホルダ５に取り付けられている。また、基板２には、ＦＰＣ９が取り付けられている。詳しくは後述する。
【００１９】
基板２の一方の面上にはＣＣＤ等の撮像素子３が搭載されている。撮像素子３を搭載した基板２上には、この撮像素子３を包囲するようにホルダ４が固定してあり、ホルダ４の上部にはレンズホルダ５と係合する内側円筒部が形成されている。レンズホルダ５の内部には、撮像素子３に被写体像を結像するレンズ６が２枚保持されている。フィルタ１０は赤外線カットフィルタで、レンズ６と撮像素子３との間に配置される。
【００２０】
シャッタ装置３０の被写体側には、撮影用の開口１９が形成されている。光軸は、この開口１９の中心を通る。
【００２１】
シャッタ装置３０は、シャッタ基板１２の前面側に設けられた複数枚のシャッタ羽根１３と、シャッタ基板１２に対して、シャッタ羽根１３を設けた側とは反対側（背面側）に設けられたモータ１１とを有している。シャッタ羽根１３は、それぞれが固定軸１８によって固定軸周りに回動自在に取り付けられている。また、シャッタ羽根１３にはそれぞれカム穴が備えられており、モータ１１のロータ軸（不図示）から伸びた作動ピン１７と係合する。シャッタ羽根１３は、作動ピン１７の回動に伴って、それぞれが独自の軌跡を描いて揺動する。
【００２２】
円筒状のレンズホルダ５の外周には調整部材７が設けられている。調整部材７とレンズホルダ５との夫々に設けられたねじ部が螺合して、レンズホルダ５の外周に調整部材７が設けられている。尚、調整部材７とレンズホルダ５の螺合部分には接着剤を塗布されて、レンズホルダ５に調整部材７が固定されている。レンズホルダ５に固定された調整部材７は、レンズホルダ５の一部として機能する。
【００２３】
調整部材７とホルダ４との間には、リング状の回転部材８が挟み込まれる。リング状の回転部材８の上面（ホルダ４との接触面側）には、レンズホルダ５を光軸方向に移動させる駆動力を与えるカム面（所定の駆動力をカムによって実現するためのカム輪郭が形成された面）が形成されている。カム面が形成された回転部材８を光軸周りに回転させることによって、この回転部材８上の調整部材７と、調整部材７に固定されたレンズホルダ５とが光軸方向に移動する。これにより、レンズホルダ５は、撮像素子３を搭載した基板２よりも被写体側に配置したレンズ６を光軸方向に移動自在に保持する。
【００２４】
また、シャッタ装置３０は、レンズホルダ５の被写体側に固定されるとともにレンズホルダ５と一体に光軸方向に移動する。レンズホルダ５とシャッタ装置３０とは、駆動ユニット５０として機能する。重心軸Ｇは、駆動ユニット５０の重心を通り光軸と平行な軸である。本実施形態に係る駆動ユニット５０の場合、重心軸Ｇは、光軸から離れた位置にある。詳しくは後述する。
【００２５】
ＦＰＣ９は、弾性を有し電気導通可能に形成されており、シャッタ装置３０に電力を供給するプリント配線基板である基板２上の回路パターン（不図示）を介してシャッタ装置３０のモータ１１と電気的に接続され、シャッタ装置３０に電源（不図示）からの電力を供給可能となっている。ＦＰＣは、可撓性を備えたフィルム状の基板である。このＦＰＣ９は、その端部が基板２に取り付けられ、一方の端部が、シャッタ基板１２に取り付けられている。また、ＦＰＣ９は、図１に示すように弓なりに曲がった状態で配置されるため、より弾性を得ることができる。従って、ＦＰＣ９は、シャッタ装置３０を光軸方向の被写体側に付勢する。即ち、ＦＰＣ９は、駆動ユニット５０を光軸方向の被写体側に付勢する。
【００２６】
また、前述したように、駆動ユニット５０は、シャッタ装置３０とレンズホルダ５とから構成され、シャッタ装置３０は、レンズホルダ５の光軸方向への移動に伴って移動する。このため、ＦＰＣ９は、シャッタ装置３０を介してレンズホルダ５を光軸方向の被写体側に付勢する。このように、ＦＰＣ９がレンズホルダ５を光軸方向に付勢するので、光軸方向のガタ寄せ用の付勢手段を設けなくてもレンズのガタの発生を抑制することができる。これにより、バネなどのガタ寄せ用の付勢手段を設けるために必要なコストを削減できる。また、カメラモジュールの組み付け工程が簡易になる。
【００２７】
図２は、カメラモジュール１の正面図である。シャッタ装置３０の上面には、図２に示されるようにシャッタ羽根を回動自在に取り付ける固定軸１８の頭の部分が見えている。また、作動ピン用開口２１からは作動ピン１７の頭の部分が見えている。また、ＦＰＣ９は、重心軸Ｇの周りに同一角度ごとに均等に複数配置されており、重心軸Ｇの周りに１２０°の毎に３つ均等に配置されている。
【００２８】
ここで、重心軸Ｇは、前述したように駆動ユニット５０の重心を通り光軸と平行な軸である。従って、重心軸Ｇと重力方向とが平行となるようにカメラモジュール１を配置した場合、駆動ユニット５０には、重心軸Ｇと重なるように重力による合力が働く。このため、本実施形態の駆動ユニット５０のように、重心軸Ｇと光軸とがずれている場合、駆動ユニット５０は、重心軸Ｇ側に傾くおそれがある。これにより、光軸が重心軸Ｇ側に傾くおそれがある。
【００２９】
しかし、ＦＰＣ９が重心軸Ｇの周りに複数均等に配置されているので、重心軸Ｇを中心として駆動ユニット５０に対する光軸方向への付勢力のバランスを保つことができる。これにより、光軸の傾きを抑制することができる。
また、駆動ユニット５０を、重心軸Ｇを中心としてバランスよく付勢することができるので、駆動ユニット５０の重量が重い場合、又はＦＰＣ９の付勢力が弱い場合であっても、効率よく付勢することができる。
【００３０】
以上により、レンズホルダは、レンズを平行に維持したまま光軸方向に移動させることができる。光軸方向対するレンズの傾きを解消することができることから、鮮明な画像を得ることができる。また、付勢力のバランスを保つことにより、光軸方向へ移動する際の摩擦の増大を回避することができ、レンズホルダを駆動させるためのモータの負荷を低減することができる。この結果、レンズホルダを駆動させるためのモータを小型化することができる。従って、カメラモジュールも小型化することができる。
【００３１】
また、ＦＰＣ９には、付勢力が要求されるため、高価な薄めのタイプを用いる必要はなく、厚めのタイプを使用することにより、製造コストを低く抑えることができる。
【実施例２】
【００３２】
次に、図３を参照して、実施例２に係るカメラモジュール１Ａについて説明する。図３は、カメラモジュール１Ａの正面図である。このカメラモジュール１Ａの基本的な構成は、カメラモジュール１と同様である。よって、同一部分には同じ符号を付することで重複する説明を省略する。
【００３３】
カメラモジュール１ＡのＦＰＣ９Ａは、光軸周りに同一角度ごとに均等に複数配置されており、光軸周りに１２０°の毎に３つ均等に配置されている。
ＦＰＣ９Ａが光軸周りに複数均等に配置されているので、光軸を中心として付勢力のバランスを保つことができる。これにより、光軸の傾きを抑制することができる。以上により、レンズホルダ５は、レンズ６を平行に維持したまま光軸方向に移動させることができる。特に、カメラモジュール１の構造上、ＦＰＣ９を駆動ユニット５０の重心軸周りに均等に配置できない場合に、光軸周りに配置することにより付勢力のバランスを保つことができ、光軸の傾きを抑制することができる。
【００３４】
尚、この場合、各ＦＰＣ９Ａに、厚さや大きさの異なるものを用いることにより、付勢力のバランスを調整するように構成してもよい。例えば、駆動ユニット５０の重心軸に最も近似していると思われるＦＰＣにのみ、厚めタイプのものを使用して、付勢力のバランスを保つように構成してもよい。
【実施例３】
【００３５】
次に、図４を参照して、カメラモジュール１Ｂについて説明する。図４は、カメラモジュール１Ｂの正面図である。このカメラモジュール１Ｂの基本的な構成は、カメラモジュール１と同様である。よって、同一部分には同じ符号を付することで重複する説明を省略する。
【００３６】
図４に示すように、ＦＰＣ９Ｂは、光軸周りに１８０°の毎に２つ均等に配置されている。このような場合であっても、ＦＰＣ９Ｂが光軸周りに複数均等に配置されているので、付勢力のバランスを保つことができ、光軸の傾きを抑制することができる。
【００３７】
上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【００３８】
上記実施例において、ＦＰＣはシャッタ装置を介してレンズホルダを光軸方向の被写体側に付勢するが、このような構成に限定されず、例えば、レンズホルダの撮像素子側の底面にＦＰＣの端部が取り付けられ、レンズホルダを光軸方向の被写体側に付勢するようにしてもよい。
【００３９】
また、上記実施例において、ＦＰＣはレンズホルダを光軸方向の被写体側に付勢するが、このような構成に限定されず、撮像素子側に付勢するようにしてもよい。
【００４０】
また、上記実施例において、ＦＰＣは湾曲された状態では位置されるが、これに限定されず、コ字状に屈曲された状態では位置されてもよい。
また、上記実施例においては、弾性を有し電気導通可能に形成されている導通部材としてＦＰＣを採用したが、このような構成に限定されず、電気導通可能に形成され弾性を有する部材であれば他の構成であってもよい。また、形状、厚さなどはどのような物を用いてもよい。
また、複数のＦＰＣは、一体に形成されていてもよいし、別体に形成されていてもよい。例えば、実施例１において、ＦＰＣ９は、開口１９を塞がないように、一体に形成されていてもよい。
【００４１】
上記実施例においては、レンズホルダにシャッタ装置が固定されているが、このような構成限定されず、レンズホルダとシャッタ装置が固定されておらず、レンズホルダの光軸方向への移動とは無関係に、所定の位置に固定されているシャッタ装置を備えた撮像装置についても、適用できる。この場合、導通部材は、レンズホルダを光軸方向に付勢するとともに、光軸周りに複数均等に配置される。これにより、導通部材が光軸周りに複数均等に配置されているので、付勢力のバランスを保つことができ、光軸の傾きを抑制することができる。
【００４２】
また、上記実施例においては、ＦＰＣはシャッタを開閉駆動させるモータと電気的に接続されるが、全てのＦＰＣが電気的に接続されている必要はなく、一部のＦＰＣのみが電気的に接続されていてもよいし、全てのＦＰＣが電気的に接続されていなくてもよい。
【００４３】
また、上記実施例においては、ＦＰＣはシャッタを開閉駆動させるモータと電気的に接続されるが、このような構成に限定されず、例えば、ＦＰＣはレンズホルダを光軸方向に移動させるレンズホルダ駆動装置と電気的に接続されてもよい。このように構成することにより、ＦＰＣはレンズホルダ駆動装置と電気的に接続されるので、光軸の傾きを抑制し、レンズを光軸方向に付勢するとともに、レンズホルダを光軸方向に移動させることができるからである。
【００４４】
また、上記実施例においては、駆動ユニット５０の重心軸が光軸と一致しないカメラモジュールを例に挙げたが、重心軸と光軸とが一致するカメラモジュールであってもよい。この場合、重心軸と光軸とが一致しているため、一致していないカメラモジュールと比べてレンズホルダが傾きにくく、光軸の傾きをより精度よく抑制することができ、良好な画質を保つことができる。また、光軸方向のガタ寄せ用の付勢手段を別に設けない場合でもレンズのガタの発生を抑制することができる
【図面の簡単な説明】
【００４５】
【図１】カメラモジュール１の構成を示す断面図である。
【図２】カメラモジュール１の正面図である。
【図３】カメラモジュール１Ａの正面図である。
【図４】カメラモジュール１Ｂの正面図である。
【符号の説明】
【００４６】
１、１Ａ、１Ｂ  カメラモジュール
２              基板
３              撮像素子
４              ホルダ
５              レンズホルダ
６              レンズ
７              調整部材
８              回転部材
９、９Ａ、９Ｂ  ＦＰＣ
１０            フィルタ
１１            モータ
１２            シャッタ基板
１３            シャッタ羽根
１７            作動ピン
１８            固定軸
１９            開口
２０            リブ
２１            作動ピン用開口
３０            シャッタ装置
４０            撮像装置
５０            駆動ユニット
【図１】
2007215055.tif 000003
【図２】
2007215055.tif 000004
【図３】
2007215055.tif 000005
【図４】
2007215055.tif 000006